(57)【要約】【課題】物理セル識別（ＰＣＩ）コンフュージョンによって引き起こされる問題を回避することが可能な、無線通信システムにおけるモバイル装置のための測定報告の方法等を提供する。【解決手段】無線通信システムにおけるモバイル装置のための測定報告の方法が開示される。方法は、第１セルに関連する第１インジケータを測定リポートに含めるステップと、その測定リポートを無線通信システムのネットワークエンティティへ送信するステップとを有する。第１インジケータは、モバイル装置に対応する第１セルのアクセス可能性情報をネットワークエンティティに知らせる。【選択図】図４
2010226716.tif 000002
【特許請求の範囲】
【請求項１】
無線通信システムにおけるモバイル装置のための測定報告の方法であって、
第１インジケータを測定リポートに含めるステップと、
前記測定リポートを前記無線通信システムのネットワークエンティティへ送信するステップと
を有し、
前記第１インジケータは、前記モバイル装置に対応する第１セルのアクセス可能性情報を含む、方法。
【請求項２】
クローズド・サブスクライバ・グループ（ＣＳＧ）ホワイトリストに基づいて前記第１インジケータを生成するステップを更に有し、
前記第１セルはＣＳＧセルである、請求項１記載の方法。
【請求項３】
前記ネットワークエンティティから受信される指示コマンドに基づいて前記第１セルへ第２セルから移動するステップを更に有し、
前記指示コマンドは、前記第１インジケータ若しくはセル品質又は前記第１インジケータ及び前記セル品質の両方に従って前記ネットワークエンティティによって生成される、請求項１記載の方法。
【請求項４】
前記第１インジケータは、メンバフィールドであり、又は、前記第１セルに関連するＣＧＩ（セルグローバル識別子）及び前記第１セルに関連するＣＳＧ情報のうちの少なくとも１つを有する、請求項１記載の方法。
【請求項５】
前記メンバフィールドは少なくとも１ビットである、請求項４記載の方法。
【請求項６】
前記ＣＳＧ情報はＣＳＧ識別である、請求項４記載の方法。
【請求項７】
前記ＣＧＩ情報はセルグローバル識別子である、請求項４記載の方法。
【請求項８】
前記第１インジケータが前記ＣＧＩ情報及び前記ＣＧＳ情報のうちの少なくとも１つを有する場合に第２インジケータを前記測定リポートに含めるステップを更に有し、
前記第２インジケータは、前記ＣＧＩ情報及び前記ＣＧＳ情報のうちのいずれかが前記測定リポートに含まれているかどうかを前記ネットワークエンティティに知らせる、請求項４記載の方法。
【請求項９】
無線通信システムにおけるネットワークエンティティのための測定報告を処理する方法であって、
前記無線通信システムでモバイル装置から第１インジケータを有する測定リポートを受信するステップと、
第１セル及び第２セルは同じ識別を有する場合に、前記第１インジケータに従って前記第１セルを前記第２セルと区別するステップと
を有する方法。
【請求項１０】
前記第１インジケータは、第３セルに関連するＣＧＩ（セルグローバル識別子）情報及び前記第３セルに関連するＣＳＧ（クローズド・サブスクライバ・グループ）情報のうちの少なくとも１つ並びに第２インジケータを有し、
前記第２インジケータは、前記ＣＧＩ情報及び前記ＣＳＧ情報のうちのいずれかが前記測定リポートに含まれているかどうかを前記ネットワークエンティティに知らせる、請求項９記載の方法。
【請求項１１】
前記第１インジケータに従って前記第３セルのアクセス可能性を決定するステップを更に有する、請求項１０記載の方法
【請求項１２】
前記第３セルの前記アクセス可能性若しくはセル品質又は前記第３セルの前記アクセス可能性及び前記セル品質の両方に従って前記モバイル装置を前記第３セルへ第４セルから方向付けるステップを更に有する、請求項１１記載の方法。
【請求項１３】
前記測定リポートを無視するステップと、
前記モバイル装置を前記第３セルへ第４セルから方向付けるステップと
を更に有する、請求項１０記載の方法。
【請求項１４】
前記第１インジケータは、前記モバイル装置に対応するＣＳＧホワイトリストに基づいて生成されるメンバフィールドである、請求項９記載の方法。
【発明の詳細な説明】
【技術分野】
【０００１】
無線通信システムで用いられる方法及び関連する通信装置が開示され、より具体的に、無線通信システムのための測定報告の方法及び関連する通信装置に係る。
【背景技術】
【０００２】
第３世代パートナーシッププロジェクト（３ＧＰＰ）によって開始されているロング・ターム・エボリューション（long-term  evolution）（ＬＴＥ）システムは、現在、高データレート、低レイテンシ、パケット最適化、及び進化型汎用地上無線アクセスネットワーク（evolved  universal  terrestrial  radio  access  network）（Ｅ−ＵＴＲＡＮ）を提供する新しい無線インターフェース及び無線ネットワークアーキテクチャと考えられている。ＬＴＥシステムで、Ｅ−ＵＴＲＡＮは複数の進化型ノードＢ（evolved  Node-B）（ｅＮＢ）を有しており、ユーザ設備（user  equipment）（ＵＥ）とも呼ばれる複数の移動局と通信を行う。
【０００３】
ＬＴＥシステムで、ＵＥは２つのＲＲＣモード、すなわち、ＲＲＣ＿ＩＤＬＥ（無線資源制御アイドリング）モード及びＲＲＣ＿ＣＯＮＮＥＣＴＥＤ（無線資源制御接続）モードで動作する。ＵＥは、ＲＲＣ接続が確立されている場合は、ＲＲＣ＿ＣＯＮＮＥＣＴＥＤモードにある。ＲＲＣ接続が確立されていない場合は、ＵＥはＲＲＣ＿ＩＤＬＥモードにある。ＲＲＣ＿ＩＤＬＥモードでの移動度は、ネットワークによって提供されるパラメータに従うＵＥの自律的セル再選択に基づく。ＲＲＣ＿ＣＯＮＮＥＣＴＥＤモードで、ネットワークはＵＥの移動度を制御する。すなわち、ネットワークは、いつ、どのセル（他の周波数にあるか、又はＲＡＴであるセル）へＵＥが移動すべきかを決定する。ハンドオーバープロシージャは、単に、ネットワークがＲＲＣ＿ＣＯＮＮＥＣＴＥＤモードでＵＥの移動度を制御するために用いられるプロシージャである。ネットワークは、無線状態に基づいてハンドオーバープロシージャをトリガする。ハンドオーバープロシージャを容易にするよう、ネットワークは、測定報告を行うようＵＥを構成してよい。測定リポートは、全ての無線状態に係る情報をネットワークに提供するよう（後述される）様々なタイプの測定を有してよい。このようにして、ネットワークは、ハンドオーバープロシージャが行われるべきときを決定してよい。
【０００４】
ＵＥから測定を得るよう、ネットワーク（例えば、Ｅ−ＵＴＲＡＮ）は、最初に、測定制御メッセージをＵＥへ送信すべきである。測定制御メッセージは、どのような測定プロシージャが行われるべきかに関する幾つかの情報要素（ＩＥ）を含む。例えば、ＩＥ“測定コマンド”は、“セットアップ（set  up）”、“変更（modify）”又は“解除（release）”に係る値を有することができ、ＩＥ“測定タイプ”は、ネットワークがＵＥに行わせたい測定の種類を特定する。ＵＥ測定は次の７種類に分類され得る：（１）周波数内測定；（２）周波数間測定；（３）ＲＡＴ間測定；（４）ＵＥポジショニング測定；（５）交通量測定（ＴＶＭ）；（６）品質測定；（７）ＵＥ内部測定。ＵＥがより低い層（例えば、メディアアクセス制御層又は物理層）から種々の測定結果を得て、それらの測定結果から測定リポートを生成した後、測定リポートはネットワークＲＲＣ層へ送信される。
【０００５】
ＬＴＥシステムで、サービスエリアが狭い基地局（例えば、ホーム基地局、すなわちホーム・ノードＢ）は、例えば、家庭及び職場における高バンド幅無線インターネットアクセスや、屋内サービスエリアのための有効且つ費用効果が高いキャパシティに係る解決法等、素晴らしい利点のために開発されることがある。通常、このような狭サービスエリア基地局は、ブロードバンド設備（例えば、ＤＳＬルータ又はケーブルモデム）を介してインターネット及び携帯電話事業者のネットワークへ接続される。狭サービスエリア基地局は、クローズド・サブスクライバ・グループ（Closed  Subscriber  Group）（ＣＳＧ）に属するＵＥのみへの制限されたアクセスを提供し、通常は幾つかのＣＳＧセルを扱う。ＣＳＧセルは、クローズド・サブスクライバ・グループのＵＥの限られた組によってアクセス可能である。
【０００６】
他方で、ＵＥは、物理セル識別（physical  cell  identify）（ＰＣＩ）を用いてセルを識別する。利用可能なＰＣＩの数は、システム内のセルの数と比較して制限される（例えば、ＬＴＥシステムでは異なるＰＣＩは５０４個しかない。）。基本的に、ネットワークは、有効な測定及び報告プロシージャをサポートするよう、セルの一意でないＰＣＩを扱う必要がある。例えば、ＬＴＥシステムで、ＵＥは、候補セルの基準信号受信電力（reference  signal  received  power）（ＲＳＲＰ）（すなわち、特定のＰＣＩに関連するシグニチャ・シーケンス・シンボルの受信電力）を測定して、サービスを提供しているセル（目下ＵＥにサービスを提供しているセル）へ報告するよう求められる。しかし、複数のセル、例えば前述のＣＳＧセルが同じＰＣＩに割り当てられ、ＵＥが測定リポートに同じＰＣＩを有する１又はそれ以上のセルを含める場合に、問題が生ずることがある。かかる状況で、ネットワークは、測定リポートから取り出されるＰＣＩによって混乱させられ、どのセルをＰＣＩが参照しているのかを理解することができない（これは、ＰＣＩコンフュージョンと呼ばれる。）。測定リポートの中で報告されるセル品質（例えば、測定品質情報要素）により或るセルがハンドオーバーに適していることが示される場合に、ネットワークは、同じＰＣＩのためにどのセルが該当セルであるのかを知ることができないので、ＵＥによってアクセスされておらず実際には検出されていないセルにＵＥを方向付けることがある。言い換えると、ＵＥから受信される測定リポートから、ネットワークは、ＵＥがハンドオーバーを行うべき正確な対象セルを決定することができない。他方で、ＵＥのサービス提供基地局はホーム基地局のＣＳＧセルに気付かないことがあり、これにより、その基地局は、測定リポートにおいてＣＳＧセルのＰＣＩを認識することができない。
【先行技術文献】
【非特許文献】
【０００７】
【非特許文献１】３ＧＰＰ  ＴＳ３６．３３１  ｖ８．５．０
【非特許文献２】３ＧＰＰ  ＴＳＧ−ＲＡＮ  ＷＧ２  Ｍｅｅｔｉｎｇ＃６６  Ｒ２−０９２７９８
【発明の概要】
【発明が解決しようとする課題】
【０００８】
本発明は、物理セル識別（ＰＣＩ）コンフュージョンによって引き起こされる前述の問題を回避することが可能な、無線通信システムにおけるモバイル装置のための測定報告の方法及び関連する通信装置を提供することを目的とする。
【課題を解決するための手段】
【０００９】
無線通信システムにおけるモバイル装置のための測定報告の方法が開示される。当該測定報告方法は、第１セルに関連する第１インジケータを測定リポートに含めるステップと、その測定リポートを無線通信システムのネットワークエンティティへ送信するステップとを有する。第１インジケータは、モバイル装置に対応する第１セルのアクセス可能性情報をネットワークエンティティに知らせる。
【００１０】
また、無線通信システムにおけるネットワークエンティティのための測定報告を処理する方法が開示される。当該測定報告処理方法は、無線通信システムのモバイル装置から第１インジケータを有する測定リポートを受信するステップと、第１セル及び第２セルが同じ識別、例えば物理セル識別（ＰＣＩ）を有する場合に、第１インジケータに従って第１セルを第２セルと区別するステップとを有する。
【００１１】
測定報告のための、無線通信システムの通信装置が開示される。通信装置は、第１セルに関連する第１インジケータを測定リポートに含める手段と、その測定リポートを無線通信システムのネットワークエンティティへ送信する手段とを有する。第１インジケータは、通信装置に対応する第１セルのアクセス可能性情報をネットワークエンティティに知らせる。
【００１２】
測定報告を処理するための、無線通信システムの通信装置が開示される。通信装置は、無線通信システムのモバイル装置から第１インジケータを有する測定リポートを受信する手段と、第１セル及び第２セルが同じ識別、例えば物理セル識別（ＰＣＩ）を有する場合に、第１インジケータに従って第１セルを第２セルと区別する手段とを有する。
【００１３】
これらの及び他の目的は、図面に表されている好ましい実施形態に係る以下の詳細な記載を読むことで当業者には明らかとなるであろう。
【発明の効果】
【００１４】
本発明の実施形態によれば、物理セル識別（ＰＣＩ）コンフュージョンによって引き起こされる先行技術における問題を回避することが可能となる。
【図面の簡単な説明】
【００１５】
【図１】例となる無線通信システムの概略図を表す。
【図２】例となる通信装置の概略図を表す。
【図３】例となるプログラムコードの概略図を表す。
【図４】無線通信システムにおけるユーザ設備のための例となる処理のフローチャートである。
【図５】無線通信システムにおけるユーザ設備のための例となる処理のフローチャートである。
【図６】無線通信システムにおけるネットワークエンティティのための例となる処理のフローチャートである。
【発明を実施するための形態】
【００１６】
図１を参照する。図１は、例に従う無線通信システム１０の概略図を表す。手短に、無線通信システム１０は、ネットワークと、複数のモバイル装置とを有する。無線通信システム１０は、ＵＭＴＳ（Universal  Mobile  Telecommunications  System）、ＬＴＥ（long-term  evolution）システム、又は他の何らかの同様なネットワークシステムであってよい。ＬＴＥシステムで、ネットワークは、複数のｅＮＢを有するＥＵＴＲＡＮ（evolved-UTRAN）、又はコアネットワーク・エンティティ（例えば、ＭＭＥと呼ばれる移動度管理エンティティ（Mobility  Management  Entity））と呼ばれることがあり、一方、モバイル装置はユーザ設備（ＵＥ）と呼ばれる。ＵＥは、例えば、携帯電話機、コンピュータシステム等の装置であってよい。この用語は、参照の簡便さのために本願の全体を通じて用いられるが、これは、如何なる１つの特定のタイプのネットワークにも本発明を限定するよう解されるべきではない。幾つかの例で、ネットワーク及びＵＥは、送信方向に従って送信器又は受信器として見なされてよく、例えば、アップリンク（ＵＬ）については、ＵＥは送信器であり、ネットワークは受信器であり、ダウンリンク（ＤＬ）については、ネットワークは送信器であり、ＵＥは受信器である。
【００１７】
図２を参照する。図２は、例に従う通信装置２０の概略図を表す。通信装置２０は、図１に示されるモバイル装置又はネットワークであってよく、例えばマイクロプロセッサ又はＡＳＩＣのようなプロセッサ２００と、メモリユニット２１０と、通信インターフェースユニット２２０とを有してよい。メモリユニット２１０は、プロセッサ２００によるアクセスのためのプログラムコード２１４を格納することができる何らかのデータ記憶装置であってよい。メモリユニット２１０の例には、サブスクライバ識別モジュール（subscriber  identity  module）（ＳＩＭ）、読出専用メモリ（ＲＯＭ）、ランダムアクセスメモリ（ＲＡＭ）、ＣＤ−ＲＯＭ、磁気テープ、ハードディスク、及び光データ記憶装置が含まれるが、これらに限定されない。通信インターフェースユニット２２０は、望ましくは無線送受信機であってよく、プロセッサ２００の処理結果に従って無線信号を然るべくやり取りする。
【００１８】
図３を参照する。図３は、例に従うＬＴＥシステムのためのプログラムコード２１４の概略図を表す。プログラムコード２１４は、多数の通信プロトコル層のプログラムコードを有する。かかる通信プロトコル層は、上から下へ向かって、無線リソース制御（ＲＲＣ）層３００、パケットデータ集合プロトコル（ＰＤＣＰ）層３１０、無線リンク制御（ＲＬＣ）層３２０、媒体アクセス制御（ＭＡＣ）層３３０、及び物理（ＰＨＹ）層３４０である。通信装置２０が図１に示されるモバイル装置と呼ばれる場合には、通信装置２０のＲＲＣ層３００は、ＭＡＣ層３３０及び物理層３４０から種々の測定結果を得る。次いで、ＲＲＣ層３００は、それらの測定結果に基づいて測定リポートを生成する。測定リポートは、通信装置２０の周囲の通信システム環境の状況（例えば、通信装置２０の周囲の１又はそれ以上のセルの通信品質）を報告するための「測定リポート（MeasurementReport）」メッセージを介してネットワーク（例えば、Ｅ−ＵＴＲＡＮ）へ送信される。通信装置２０は、測定リポートメッセージ内の測定情報要素（例えば、測定結果（MeasResults））を設定してよい。通信装置２０が図１に示されるネットワークと呼ばれる場合には、ネットワークのＲＲＣ層３００は、専用シグナリング（例えば、ＲＲＣ接続再設定（RRCConnectionReconfiguration）メッセージ）を送信することによってＵＥに適用可能な測定設定を提供してよい。
【００１９】
図４を参照する。図４は、例に従う処理４０のフローチャートである。処理４０は、無線通信システムでＵＥのための測定報告に使用される。処理４０は、プログラムコード２１４にコンパイルされてよく、下記のステップを有する：
ステップ４００：開始、
ステップ４０２：対象セルに関連するインジケータＩｎｄ１を測定リポートに含める、
ステップ４０４：測定リポートを無線通信システムのネットワークエンティティへ送信する。このとき、インジケータＩｎｄ１は、ＵＥに対応する対象セルのアクセス可能性情報を含む、
ステップ４０６：終了。
【００２０】
処理４０に従って、ＵＥはインジケータＩｎｄ１を測定リポートに含める。インジケータＩｎｄ１は、例えばネットワークによって提供される閾値に従って、報告するのに十分に良好である品質の対象セルと関連付けられている。対象セルは、ＵＥのクローズド・サブスクライバ・グループ（ＣＳＧ）ホワイトリストにおけるＣＳＧセルであってよい。ＣＳＧホワイトリストは、ＣＳＧセルのメンバとしてのＵＥがアクセスすることができるＣＳＧセルのリストを示す。ＣＳＧホワイトリストは、上位層（例えば、ノンアクセスストラタム（ＮＡＳ）層）によって提供されてよい。インジケータＩｎｄ１は、対象セルのアクセス可能性情報を含む少なくとも１ビットのメンバフィールドであってよい。例えば、ＣＳＧホワイトリストに基づいて生成されたメンバフィールドは、ＵＥが対象セルのメンバであるか否かを示してよい。次のステップで、ＵＥは測定リポートをネットワークエンティティへ送信する。言い換えると、ＵＥによって送信される測定リポートに含まれるメンバフィールドに従って、ネットワークエンティティは、対象セルのアクセス可能性情報（例えば、対象セルがＵＥによってアクセスされ得るか否か）を知らされうる。
【００２１】
ＵＥから受信される測定リポートに従って、ネットワークエンティティは、ハンドオーバープロシージャが行われるべきかどうかを決定してよい。より具体的には、ネットワークは、測定リポートに含まれるインジケータＩｎｄ１に従って、サービスを提供しているセルから対象セルへとＵＥを方向付けてよい。幾つかの例で、ＵＥがネットワークから指示コマンドを受信した後、ネットワークは、インジケータＩｎｄ１に従って、サービスを提供しているセルから対象セルへとＵＥを方向付けてよい。幾つかの例で、ネットワークは、インジケータＩｎｄ１及びセル品質（例えば、測定品質情報要素）に従って、又はセル品質にのみ依存して、サービスを提供しているセルから対象セルへとＵＥを方向付けてよい。
【００２２】
従って、インジケータＩｎｄ１をその中に含めて測定リポートを送信することによって、ＵＥは、対象セルのアクセス可能性情報をネットワークに知らせてよい。インジケータＩｎｄ１に従って、ネットワークは、対象セルがハンドオーバーに適しているかどうかを決定してよい。幾つかの例で、ホーム基地局は家庭及び職場で整備されてよく、ホーム基地局のサービスエリアは、複数のクローズド・サブスクライバ・グループ（ＣＳＧ）セルによってカバーされてよい。対象セルは、ネットワークによって同じＰＣＩに割り当てられているＣＳＧセルの１つであってよい。この環境下で、たとえ対象セル及び他のＣＳＧセルが同じＰＣＩを有するとしても、ハンドオーバープロシージャをトリガする前に、ネットワークは、対象セルがアクセス可能であるのかどうかを、又はＵＥが対象セルにアクセスすることができるのかを、対象セルに関連するインジケータＩｎｄ１に従って正確に知ることができる。これは、同じＰＣＩが複数のセルに割り当てられている場合の識別のあいまい性を解消する。
【００２３】
メンバフィールドであることに代えて、インジケータＩｎｄ１は、セルグローバル識別子（ＣＧＩ）情報若しくはクローズド・サブスクライバ・グループ（ＣＳＧ）情報又はそれらの両方を含んでよい。この状況で、処理５０のフローチャートは、無線通信システムにおけるＵＥのための測定報告のために、図５に与えられている。処理５０は、プログラムコード２１４にコンパイルされてよく、下記のステップを有する：
ステップ５００：開始、
ステップ５０２：ＣＧＩ情報及び／又はＣＳＧ情報を有するインジケータＩｎｄ１、及び／又はインジケータＩｎｄ２を測定リポートに含める。このとき、インジケータＩｎｄ２は、ＣＧＩ情報及びＣＳＧ情報のいずれかが測定リポートに含まれているかどうかをネットワークエンティティに知らせる、
ステップ５０４：測定リポートを無線通信システムのネットワークエンティティへ送信する、
ステップ５０６：終了。
【００２４】
処理５０に従って、ＵＥは、ＣＧＩ情報及び／又はＣＳＧ情報及び／又はインジケータＩｎｄ２を測定リポートに含めてよい。次いで、ＵＥは、測定リポートを無線通信システムのネットワークエンティティへ送信してよい。幾つかの例で、ＵＥは、インジケータＩｎｄ２を用いて、ＣＧＩ情報若しくはＣＳＧ情報又はそれらの両方が測定リポートに含まれているかどうかをネットワークエンティティに知らせてよい。言い換えると、ＵＥは、次のもののうち少なくとも１つを測定リポートに含める：インジケータＩｎｄ２、ＣＧＩ情報、及びＣＳＧ情報。望ましくは、ＣＳＧ情報はＣＳＧ識別と呼ばれ、ＣＧＩ情報はセルグローバル識別子と呼ばれる。従って、ＵＥによって送信される測定リポートは、対象セルに関連するインジケータＩｎｄ２及び／又はＣＧＩ情報及び／又はＣＳＧ情報を含みうる。
【００２５】
一例を挙げると、ＵＥ  ＸはＣＳＧグループに属し、ホーム基地局によってサービスを提供されるＣＳＧセルＣ１にアクセスすることを許されている。一方で、他のホーム基地局によってサービスを提供される他のＣＳＧセルＣ２が存在する（ＵＥ  Ｘは、そのサービスエリア範囲内にあってもなくてもよい。）。このＣＳＧセルＣ２は、ＵＥ  Ｘにサービスを提供しない。しかし、ＰＣＩの不足により、ＣＳＧセルＣ１及びＣ２は同じＰＣＩ  Ｐ１を割り当てられてよい。ＣＳＧセルＣ１の信号品質は、例えば、ネットワークによって提供される閾値に従って、報告するのに十分に良好である。この状況で、ＵＥ  Ｘは、測定リポートをネットワークへ送信してよい。測定リポートは１ビットのメンバフィールドＭ１を含み、メンバフィールドＭ１は、ＵＥ  Ｘが、ＵＥ  ＸのＮＡＳ層から提供されるＣＳＧホワイトリストに従ってＣＳＧセルＣ１のメンバであることを示す。測定リポートを受信した後、ネットワークはメンバフィールドＭ１を読み出して、ＣＳＧセルＣ１がＵＥ  Ｘによってアクセス可能であると見なしてよい。次いで、ネットワークは、ＣＳＧセルＣ１の信号品質が良好である場合は、サービスを提供しているセルからＣＳＧセルＣ１へＵＥ  Ｘを方向付けてよい。幾つかの例で、ＵＥは、また、ＣＳＧセルＣ２に関連するメンバフィールドＭ２を測定リポートに含めてよい。しかし、メンバフィールドＭ２は、ＵＥ  ＸがＣＳＧセルＣ２のメンバでないことを示す。従って、メンバフィールドＭ２を受信した後、ネットワークは、ＵＥ  ＸがＣＳＧセルＣ２へハンドオーバーするのに適さないと認識する。ＵＥ  Ｘは、アクセス不可能なＣＳＧセル、すなわちＣ２へのハンドオーバーを回避してよい。結果として、測定リポートに含まれるメンバフィールドに従って、ネットワークは、どのＣＳＧセルがＵＥによってアクセス可能であるのかを知り、同じＰＣＩに起因する如何なる混乱も伴わずに、アクセス可能なＣＳＧセルへＵＥを方向付けることができる。
【００２６】
処理５０に基づいて、ネットワークは、対応する動作を行ってよい。図６を参照する。図６は、本開示の例に従う処理６０のフローチャートである。処理６０は、無線通信システムにおけるネットワークエンティティのための測定報告を扱うために用いられる。処理６０は、プログラムコード２１４にコンパイルされてよく、下記のステップを有する：
ステップ６００：開始、
ステップ６０２：対象セルに関連するインジケータＩｎｄ２及び／又はＣＧＩ情報及び／又はＣＳＧ情報を有する測定リポートをＵＥから受信する、
ステップ６０４：対象セル及び他のＣＳＧセルが同じ識別、例えば物理セル識別（ＰＣＩ）を有する場合に、インジケータＩｎｄ２及び／又はＣＧＩ情報及び／又はＣＳＧ情報に従って対象セルと他のＣＳＧセルとを区別する、
ステップ６０６：終了。
【００２７】
処理６０に従って、ネットワークエンティティは、測定リポートをＵＥから受信する。測定リポートは、対象セルに関連するインジケータＩｎｄ２及び／又はＣＧＩ情報及び／又はＣＳＧ情報を含む。インジケータＩｎｄ２及び／又はＣＧＩ情報及び／又はＣＳＧ情報に従って、ネットワークエンティティは、同じＰＣＩが対象セル及び他のＣＳＧセルに割り当てられている場合に、対象セルと他のＣＳＧセルとを区別してよい。インジケータＩｎｄ２は、ＣＧＩ情報若しくはＣＳＧ情報又はそれらの両方が測定リポートに含まれているかどうかを示すために用いられてよい。従って、測定リポートを受信することによって、ネットワークは、対象セルと他のＣＳＧセルとを区別することができる。
【００２８】
その上、ネットワークエンティティは、ＣＧＩ情報若しくはＣＳＧ情報又はそれらの両方に従って対象セルのアクセス可能性を決定してよい（すなわち、ＵＥが対象セルにアクセスすることができるかどうか、又は対象セルがＵＥによってアクセスされ得るのかどうかを決定する）。対象セルがＵＥによってアクセス可能である場合は、ネットワークエンティティは、サービスを提供しているセルから対象セルへとＵＥを方向付けてよい。幾つかの例で、ネットワークは、対象セルのアクセス可能性に加えてセル品質に従ってＵＥを対象セルへ方向付けてよい。幾つかの例で、ネットワークは、セル品質にのみ従ってＵＥを対象セルへ方向付けてよい。あるいは、ネットワークは、測定リポート及び測定リポートに含まれる如何なる情報（例えば、ＣＧＩ情報、ＣＳＧ情報）にも関わらず、ＵＥを対象セルへ方向付けてよい。
【００２９】
このようにして、複数のセルが同じＰＣＩを割り当てられている場合に、ネットワークは、ＣＧＩ情報及び／又はＣＳＧ情報が測定リポートに含まれているかどうかをインジケータＩｎｄ２により知らされてよい。次いで、ネットワークエンティティは、ＣＧＩ情報若しくはＣＳＧ情報又はそれらの両方に従って、対象のセルを同じＰＣＩを有する他のＣＳＧセルと区別するとともに、対象セルのアクセス可能性を決定してよい。対象セルがＵＥによってアクセス可能である場合は、ネットワークエンティティはＵＥを対象セルへ方向付けてよい。結果として、これは、ネットワークエンティティが、ＰＣＩコンフュージョンによりＵＥがアクセスすることができないセルへＵＥを方向付けることを防ぐ。
【００３０】
例において、ネットワークは、同じＰＣＩをＣＳＧセルＤ１及びＤ２へ割り当てる。ＵＥは、インジケータＩＮＤ１及び／又はセルグローバル識別子ＣＧＩ＿１及び／又はＣＳＧ識別ＣＳＧｉｄ＿１を測定リポートに含めてよい。インジケータＩＮＤ１は、前述のインジケータＩｎｄ２と呼ばれることがある。セルグローバル識別子ＣＧＩ＿１は、前述のＣＧＩ情報と呼ばれることがある。ＣＳＧ識別ＣＳＧｉｄ＿１は、前述のＣＳＧ情報と呼ばれることがある。インジケータＩＮＤ１、セルグローバル識別子ＣＧＩ＿１及びＣＳＧ識別ＣＳＧｉｄ＿１は、ＣＳＧセルＤ１に関連する。幾つかの例で、インジケータＩＮＤ１は、セルグローバル識別子ＣＧＩ＿１及び／又はＣＳＧ識別ＣＳＧｉｄ＿１が測定リポートに含まれているかどうかを示すために用いられる。測定リポートを受信した後、ネットワークは、インジケータＩＮＤ１及び／又はセルグローバル識別子ＣＧＩ＿１及び／又はＣＳＧ識別ＣＳＧｉｄ＿１に従ってＣＳＧセルＤ１をＣＳＧセルＤ２と区別してよく、このようにして、ＣＳＧセルＤ１及びＤ２の両方に割り当てられているＰＣＩによる混乱はもはや存在しない。更に、ネットワークは、インジケータＩＮＤ１及び／又はセルグローバル識別子ＣＧＩ＿１及び／又はＣＳＧ識別ＣＳＧｉｄ＿１に従って、ＣＳＧセルＤ１がＵＥによってアクセス可能であると見なしてよく、ＣＳＧセルＤ１の信号品質が良好である場合は、サービスを提供しているセルからＣＳＧセルＤ１へＵＥを方向付けてよい。
【００３１】
以上のように、ＵＥの測定リポートによって提供されるセル識別タイプ又はアクセス可能性情報を用いて、ネットワークは、場合により１よりも多いセルが有するＰＣＩに基づいて、ＵＥがハンドオーバーすることができるセルを決定するよう、支援され得る。このようにして、同じＰＣＩの問題に起因した不適切なセルへのハンドオーバーは回避され得る。
【００３２】
総括して言えば、或る環境下で（例えば、対象セル及び他のセルが同じセルを有する環境下で）、ＵＥは、対象セルに関連するインジケータ（例えば、メンバフィールド、ＣＧＩ情報又はＣＳＩ情報）を測定リポートに含めてよい。ＵＥによって送信される測定リポートに基づいて、ネットワークは、対象セルがＵＥによってアクセス可能であるかどうかを決定することができる。対象セルがアクセス可能である場合は、本開示の例が、例えば、ネットワークがＵＥをアクセス不可能なセルへ方向付けるといった、ＰＣＩコンフュージョンによって引き起こされる問題を解消することができるように、ネットワークはＵＥを対象セルへ方向付け、又は何らかの他の動作を行ってよい。
【００３３】
当業者は、装置及び方法の多数の変形及び代替が本発明の教示を保ちながら行われてよいことを容易に気付くであろう。然るに、上記の開示は、添付の特許請求の範囲の技術的範囲によってのみ限定されると解されるべきである。
【００３４】
［関連出願の相互参照］
本願は、その内容を参照により本願に援用される、２００９年３月２０日に出願された米国仮出願第６１／１６１，７６９号（名称「Performance  enhancement  according  to  measurement  procedure」）に基づく優先権を主張するものである。
【符号の説明】
【００３５】
１０    無線通信システム
２０    通信装置
２００  プロセッサ
２１０  メモリユニット
２１４  プログラムコード
２２０  通信インターフェースユニット
３００  ＲＲＣ層
３１０  ＰＤＣＰ層
３２０  ＲＬＣ層
３３０  ＭＡＣ層
３４０  物理層
Ｉｎｄ１，Ｉｎｄ２，ＩＮＤ１  インジケータ
【図１】
2010226716.tif 000003
【図２】
2010226716.tif 000004
【図３】
2010226716.tif 000005
【図４】
2010226716.tif 000006
【図５】
2010226716.tif 000007
【図６】
2010226716.tif 000008